(57)【要約】【課題】本発明は、複数のラジオ放送から伝達される緊急放送を確実に出力することができる緊急放送用ラジオ受信機を提供することを目的とするものである。【解決手段】緊急放送用ラジオ受信機は、緊急放送信号を伝達するラジオ放送信号を常時受信するように設定された検出用チューナ２２ａ及び２２ｂ並びに受信するラジオ放送信号を任意に設定可能な設定用チューナ２２ｃを備える受信部２２、検出用チューナ２２ａ及び２２ｂに受信されたラジオ放送信号のＤＴＭＦ信号を検出する信号処理部２３と、検出されたＤＴＭＦ信号の組み合せが緊急放送開始信号であるか否か判定する判定処理部２０２と、緊急放送開始信号であると判定された場合に緊急放送開始信号に対応するラジオ放送信号を受信するように設定用チューナ２２ｃを設定して音声出力させる出力処理部２０４とを備えている。【選択図】図２
2014236256.tif 000002
【特許請求の範囲】
【請求項１】
ラジオ放送信号を受信する受信部と、受信したラジオ放送信号及び当該ラジオ放送信号に含まれる緊急放送信号に基づいて音声出力する出力部とを備えた緊急放送用ラジオ受信機であって、前記受信部は、受信するラジオ放送信号を任意に設定する機能とともに前記緊急放送信号を伝達するラジオ放送信号を常時受信する機能を備えており、前記緊急放送信号を伝達するラジオ放送信号に含まれるＤＴＭＦ信号を検出する信号処理部と、検出された複数のＤＴＭＦ信号の組み合せが緊急放送開始信号であるか否か判定する判定処理部と、緊急放送開始信号であると判定された場合に当該緊急放送開始信号に対応するラジオ放送信号を受信するように前記受信部を設定して前記出力部から前記緊急放送信号を音声出力させる出力処理部とを備えている緊急放送用ラジオ受信機。
【請求項２】
前記受信部は、前記緊急放送信号を伝達するラジオ放送信号を常時受信するように設定された複数の検出用チューナ及び受信するラジオ放送信号を任意に設定可能な設定用チューナを備えている請求項１に記載の緊急放送用ラジオ受信機。
【請求項３】
前記判定処理部は、検出された複数のＤＴＭＦ信号の組み合せが緊急放送停止信号であるか否か判定し、前記出力処理部は、前記緊急放送停止信号であると判定された場合に前記緊急放送前のラジオ放送信号を受信するように前記受信部を設定して前記出力部から音声出力させる請求項１又は２に記載の緊急放送用ラジオ受信機。
【請求項４】
前記出力処理部は、前記判定処理部において前記緊急放送中に別の緊急放送開始信号を受信したことが判定された場合に別の緊急放送開始信号に対応するラジオ放送信号を受信するように前記受信部を設定して前記出力部から別の緊急放送信号を音声出力させる請求項１から３のいずれかに記載の緊急放送用ラジオ受信機。
【発明の詳細な説明】
【技術分野】
【０００１】
本発明は、防災又は災害に関する緊急放送を報知することができる緊急放送用ラジオ受信機に関する。
【背景技術】
【０００２】
国内では、地震、津波、台風、集中豪雨といった自然災害が毎年のように発生しているが、こうした災害に備えるために防災又は災害に関する情報を対象地域の住民に正確かつ迅速に提供することが要請されている。
【０００３】
こうした防災又は災害に関する情報の提供は、テレビジョン放送、ラジオ放送、防災行政無線を通して対象地域の住民に伝達されるようになっているが、深夜の時間帯では、受信機の電源が切られていると情報が伝達されずに災害への対応が遅れてしまう、といった課題がある。また、集中豪雨のように局所的に発生する災害の場合には、広域放送で情報提供することは、関係ない地域にも緊急性の高い情報が頻繁に提供されるようになってしまい、災害情報に対する住民の認識が低下していざという時の対応が遅れてしまうデメリットがある。
【０００４】
そのため、近年国内各地で開設されているコミュニティＦＭ放送を利用して災害情報を提供することが提案されている。例えば、特許文献１では、緊急放送を行う際に投入されるスイッチの動作に対応して所定のＤＴＭＦ信号（Ｄｕａｌ−Ｔｏｎｅ  Ｍｕｌｔｉ−Ｆｒｅｑｕｅｎｃｙ）を形成してＦＭ放送信号に含ませて放送し、ＦＭ放送受信機においてＦＭ放送に含まれる所定のＤＴＭＦ信号を検出すると、自動的に電源をオンして大音量で出力するようにした点が記載されている。また、特許文献２では、災害の発生により、緊急放送であることを示すＤＴＭＦ信号及びＥＷＳ信号の少なくとも一方がＦＭ放送の放送信号に含まれていた場合に受信機の電源を自動的にオンして緊急放送メッセージを大音量で出力する点が記載されている。また、特許文献３では、ラジオ放送信号に含まれるＤＴＭＦ信号を検出した後次のＤＴＭＦ信号を所定の時間内に検出した場合に検出したＤＴＭＦ信号を保存して緊急放送信号の組み合せであるか判定することで、誤作動を生じることなく緊急放送を確実に伝達する点が記載されている。
【先行技術文献】
【特許文献】
【０００５】
【特許文献１】登録実用新案第３１１８１８８号公報
【特許文献２】特開２００９−２３２２４７号公報
【特許文献３】特開２０１２−１８２６８６号公報
【発明の概要】
【発明が解決しようとする課題】
【０００６】
上述した特許文献１及び２では、ＦＭ放送を用いて緊急放送を放送する前にＤＴＭＦ信号を流してラジオ放送受信機の電源を自動的にオンして大音量で放送されるように調整するようにしているが、緊急放送の内容は放送を通じて音声で伝達されるのみで、聞き逃すおそれがあり、また聴覚障害のある住民に対して直接伝達することができない、といった課題がある。
【０００７】
また、ＦＭ放送に特定のＤＴＭＦ信号を流して緊急放送を放送する実験をしたところ、ＤＴＭＦ信号を流していないにもかかわらずＦＭ放送受信機で緊急放送を放送する誤作動が発生することがあった。こうした誤作動の原因を分析したところ、ＦＭ放送から受信する信号にＤＴＭＦ信号に類似する信号が存在することが確認された。緊急放送が誤って放送されることは、社会的な混乱を招くとともに緊急放送の信頼性を損なうことになるので、誤作動は必ず回避するようにしなければならない。
【０００８】
そのため、特許文献３では、ＤＴＭＦ信号の組み合せに基づいて緊急放送を伝達するようにしているので、誤作動を防止することが可能となるが、複数のラジオ放送に対応することが想定されていないといった課題がある。例えば、狭い地域を対象とするコミュニティＦＭ放送及び県域を対象とするＦＭ放送が受信可能なラジオ受信機の場合、緊急放送は両方のＦＭ放送から提供されることが想定される。
【０００９】
コミュニティＦＭ放送の場合には、狭い地域を対象としており、自らの判断で番組進行を変更することが可能であるため、防災情報の第一報を速やかに伝達することができる。これに対して、県域のＦＭ放送では、キー局との間の関係で、自らの判断で番組進行を変更することが難しくコミュニティＦＭ放送に比べて防災情報を提供するのに時間がかかるようになる。しかしながら、コミュニティＦＭ放送では、狭い地域の防災情報が主体となるのに対して、県域のＦＭ放送では、広い地域の防災情報が提供されるようになるため、両方のＦＭ放送から伝達される防災情報を得るようにすることが必要となる。
【００１０】
そこで、本発明は、複数のラジオ放送から伝達される緊急放送を確実に出力することができる緊急放送用ラジオ受信機を提供することを目的とするものである。
【課題を解決するための手段】
【００１１】
本発明に係る緊急放送用ラジオ受信機は、ラジオ放送信号を受信する受信部と、受信したラジオ放送信号及び当該ラジオ放送信号に含まれる緊急放送信号に基づいて音声出力する出力部とを備えた緊急放送用ラジオ受信機であって、前記受信部は、受信するラジオ放送信号を任意に設定する機能とともに前記緊急放送信号を伝達するラジオ放送信号を常時受信する機能を備えており、前記緊急放送信号を伝達するラジオ放送信号に含まれるＤＴＭＦ信号を検出する信号処理部と、検出された複数のＤＴＭＦ信号の組み合せが緊急放送開始信号であるか否か判定する判定処理部と、緊急放送開始信号であると判定された場合に当該緊急放送開始信号に対応するラジオ放送信号を受信するように前記受信部を設定して前記出力部から前記緊急放送信号を音声出力させる出力処理部とを備えている。さらに、前記受信部は、前記緊急放送信号を伝達するラジオ放送信号を常時受信するように設定された複数の検出用チューナ及び受信するラジオ放送信号を任意に設定可能な設定用チューナを備えている。さらに、前記判定処理部は、検出された複数のＤＴＭＦ信号の組み合せが緊急放送停止信号であるか否か判定し、前記出力処理部は、前記緊急放送停止信号であると判定された場合に前記緊急放送前のラジオ放送信号を受信するように前記受信部を設定して前記出力部から音声出力させる。さらに、前記出力処理部は、前記判定処理部において前記緊急放送中に別の緊急放送開始信号を受信したことが判定された場合に別の緊急放送開始信号に対応するラジオ放送信号を受信するように前記受信部を設定して前記出力部から別の緊急放送信号を音声出力させる。
【発明の効果】
【００１２】
本発明は、上記のような構成を備えることで、複数のラジオ放送から伝達される緊急放送を確実に出力するとともに利用者のニーズに合わせていずれかのラジオ放送の緊急放送を出力するように選択することができる。
【図面の簡単な説明】
【００１３】
【図１】本発明に係る実施形態に関する外観斜視図である。
【図２】緊急放送用ラジオ受信機の制御処理に関するブロック構成図である。
【図３】ＤＴＭＦ信号の組み合せ及び表示文字の対応関係を示す表である。
【図４】ＤＴＭＦ信号の検出処理に関する処理フローである。
【図５】割り込み処理に関する処理フローである。
【図６】緊急放送処理に関する処理フローである。
【図７】緊急放送処理に関する処理フローである。
【発明を実施するための形態】
【００１４】
以下、本発明を添付図面に示す実施形態に基づいて詳しく説明する。図１は、本発明に係る実施形態に関する一例を示す外観斜視図である。この例では、緊急放送用ラジオ受信機１は、前面に音声を出力するスピーカ２、時刻、周波数等の設定の表示や緊急放送の内容を文字表示する表示パネル３、複数の異なる色を発光するＬＥＤ素子を備え緊急放送の内容を光の色で表示するＬＥＤ表示器４、緊急放送を手動で受信するように設定する受信ボタン５、ラジオ受信機１の電源をオン・オフする電源ボタン６が設けられている。また、緊急放送用ラジオ受信機１の上面には、ＡＭ放送又はＦＭ放送の選局用ツマミ７及び音量調整用ツマミ８が設けられており、側面には、照明用のＬＥＤライト９及び手回し用ハンドルを備えた手動の発電器１０が設けられている。
【００１５】
図示されていないが、緊急放送用ラジオ受信機１の背面には、商用電源に接続するコンセント及び電源コード、外部アンテナと接続するためのアンテナ用接続端子、携帯電話充電用プラグが収納されている。また、緊急放送用ラジオ受信機１は、蓄電池を内蔵しており、商用電源接続時や発電器１０による発電時には、蓄電池が充電されるようになっている。
【００１６】
緊急放送用ラジオ受信機１は、こうした構成を備えているので、住宅内で使用する場合には選局用ツマミ７及び音量調整用ツマミ８を操作して通常のラジオ受信機として使用することができ、災害が発生した場合には緊急放送を受信して確実にその内容を伝達するとともに避難する際には持ち出して避難所で緊急放送を聞くことができる。停電や屋外での使用の場合にも発電器により蓄電池に充電しながら継続使用が可能で、携帯電話への充電にも使用することができる。
【００１７】
図２は、緊急放送用ラジオ受信機１の制御処理に関するブロック構成図である。緊急放送用ラジオ受信機１は、装置全体の制御処理を行う制御部２０、制御処理に必要なプログラム及びデータを記憶する記憶部２１、ＡＭ放送及びＦＭ放送といったラジオ放送信号を受信する受信部２２、ラジオ放送信号を受信する受信部２２からの受信信号を処理してその中に含まれるＤＴＭＦ信号を検出する信号処理部２３、受信したラジオ放送信号を増幅してスピーカ２に出力する増幅部２４、受信ボタン５、電源ボタン６、選局用ツマミ７及び音量調整用ツマミ８等の操作信号を制御部２０に出力する操作部２５、制御部２０からの制御信号に基づいてＬＥＤ表示器４を発光させるＬＥＤ表示部２６、並びに、制御部２０からの制御信号に基づいて表示パネル３の表示を行うパネル表示部２７を備えている。この例では、スピーカ２及び増幅部２４が出力部に相当する。
【００１８】
制御部２０は、操作部２５から入力される操作信号に基づいて操作処理を行う操作処理部２０１、検出されたＤＴＭＦ信号の組み合せを判定する判定処理部２０２、判定されたＤＴＭＦ信号の組み合せに基づいてＬＥＤ表示部２６及びパネル表示部２７の表示制御を行う表示処理部２０３、操作部２５からの操作信号及びＤＴＭＦ信号の検出に基づいてスピーカ２に所望のラジオ放送を音声出力するように受信部２２を制御する出力処理部２０４を備えている。そして、制御部２０は、電源ボタン６がオフに設定されている場合でも、緊急放送開始信号等を受信して自動的に緊急放送を出力可能なスタンバイ状態に設定する。
【００１９】
記憶部２１は、ＤＴＭＦ信号の組み合せに関するテーブルを記憶している。例えば、緊急放送を伝達する複数のラジオ放送信号におけるそれぞれの緊急放送開始信号及び緊急放送停止信号として設定されたＤＴＭＦ信号の特定の組み合せを関連付けて記憶し、対象地域及び災害情報といった緊急放送の内容に関する情報に対応するＤＴＭＦ信号の組み合せを対応する表示情報と関連付けて記憶している。
【００２０】
受信部２２は、３つのチューナ２２ａ、２２ｂ及び２２ｃを備えており、チューナ２２ａ及び２２ｂは、それぞれ緊急放送信号を伝達するラジオ放送信号を常時受信するように設定された検出用チューナであり、チューナ２２ｃは、受信するラジオ放送信号を任意に設定可能で受信したラジオ放送の音量についても調整可能な設定用チューナである。チューナ２２ａ及び２２ｂについては、出力処理部２０４により予め所定のラジオ放送の周波数に設定される。例えば、チューナ２２ａは、緊急放送信号が送信されるコミュニティＦＭ放送の周波数に設定され、チューナ２２ｂは緊急放送信号が送信される県域のＦＭ放送の周波数に設定される。このように、受信部２２は、受信するラジオ放送信号を任意に設定する機能とともに緊急放送信号を伝達するラジオ放送信号を常時受信する機能を備えている。
【００２１】
信号処理部２３は、ラジオ放送信号を受信する受信部２２からの受信信号に含まれるＤＴＭＦ信号を検出し、ＤＴＭＦ信号を検出後に所定時間内に次のＤＴＭＦ信号を検出した場合に検出したＤＴＭＦ信号を保存する。ＤＴＭＦ信号の検出は、緊急放送信号を受信するように設定された検出用チューナであるチューナ２２ａ及び２２ｂで受信されたラジオ放送信号に対して行われ、チューナ２２ａにはＤＴＭＦ信号を検出するデコーダ２３ａが接続され、チューナ２２ｂにはＤＴＭＦ信号を検出するデコーダ２３ｂが接続されている。そして、デコーダ２３ａ及び２３ｂにおいて検出されて保存されたＤＴＭＦ信号は、判定処理部２０２に送信されて所定の組み合せであるか判定される。
【００２２】
この例では、デコーダ２３ａ又は２３ｂに４つのＤＴＭＦ信号が保存された場合に、その組み合せのデータを判定処理部２０２に送信する。なお、ＤＴＭＦ信号の組み合せの数は、必要に応じて適宜設定することができ、５つ以上に設定してもよい。ＤＴＭＦ信号は、図３に示すように、ＣＣＩＴＴ（国際電信電話諮問委員会）の勧告により２つの組み合せで定められており、電話機のプッシュボタンに対応して音声帯域内の４周波数で構成される高群及び低群からそれぞれ選択された２つの周波数を組み合せて１つのＤＴＭＦ信号とされている。そして、ＤＴＭＦ信号は、高群及び低群のそれぞれ４種類の周波数の組み合せに対応して０〜９までの数字と＊、＃、Ａ〜Ｄまでの記号の計１６種類の符号が付与されている。こうしたＤＴＭＦ信号を複数個組み合わせることで、個別に識別可能な多数の信号を作成することができる。
【００２３】
判定処理部２０２では、信号処理部２３から送信されたＤＴＭＦ信号の組み合せが記憶部２１に記憶されたＤＴＭＦ信号の組み合せであるか否か判定し、記憶された組み合せである場合に表示処理部２０３及び出力処理部２０４に組み合せのデータに基づく制御を行わせるようにしている。
【００２４】
例えば、信号処理部２３から送信されたＤＴＭＦ信号の組み合せが予め設定されたラジオ放送の緊急放送開始信号に該当すると判定したときには、判定結果を表示処理部２０３及び出力処理部２０４に送信する。そして、表示処理部２０３は、ＬＥＤ表示部２６を赤色で点滅するように発光制御し、出力処理部２０４は設定用チューナであるチューナ２２ｃを設定されたラジオ放送の周波数に切り換えるように制御するとともにスピーカ２からの音量を大きくなるように制御する。
【００２５】
また、対象地域や災害情報といった緊急放送に関する内容に対応するＤＴＭＦ信号の組み合せであると判定したときは、表示処理部２０３に判定結果を送信する。そして、表示処理部２０３は、対応する文字情報をパネル表示部２７に表示するように制御する。
【００２６】
信号処理部２３から送信されたＤＴＭＦ信号の組み合せが緊急放送開始信号に対応する緊急放送停止信号に該当すると判定したときには、判定結果を表示処理部２０３及び出力処理部２０４に送信する。そして、表示処理部２０３は、点滅表示を停止するようにＬＥＤ表示部２６を制御するとともに文字情報の表示を停止するようにパネル表示部２７を制御する。また、出力処理部２０４は、緊急放送開始前のラジオ放送の周波数に戻すように制御するとともにスピーカ２からの音量を緊急放送開始前の大きさに戻すように制御する。
【００２７】
また、判定処理部２０２は、緊急放送を開始したラジオ放送中に別のラジオ放送の緊急放送開始信号に対応するＤＴＭＦ信号の組み合せが送信されたと判定したときには、判定結果を表示処理部２０３及び出力処理部２０４に送信し、別のラジオ放送の緊急放送に切り換えるように制御する。そして、緊急放送開始信号に対応するＤＴＭＦ信号の組み合せに関連付けられた緊急放送停止信号に対応するＤＴＭＦ信号の組み合せが送信されたと判定したときに、判定結果を表示処理部２０３及び出力処理部２０４に送信して停止制御を行う。
【００２８】
そのため、複数のラジオ放送から伝達される緊急放送が重なった場合でも常に最新の緊急放送が伝達されるようになる。例えば、コミュニティＦＭ放送から狭い対象地域の災害情報の第一報に関する緊急放送があった場合に、その放送中に県域ＦＭ放送から広域の対象地域の災害情報に関する緊急放送がある場合でも確実に緊急放送を伝達することができる。そのままコミュニティＦＭ放送の緊急放送を聞きたい場合には、受信ボタン５を操作することで、手動で緊急放送を伝達する複数のラジオ放送に順次切り換えて、コミュニティＦＭ放送に設定することができる。
【００２９】
図４は、緊急放送信号として放送されるＤＴＭＦ信号の検出処理に関する処理フローである。まず、緊急放送信号を受信するために、使用地域の設定データ等を入力する初期設定を行い（Ｓ１００）、検出のための割り込み処理のタイミングを設定する（Ｓ１０１）。割り込み処理のタイミングは、例えば、０．１２５秒、０．２５秒、０．５秒、１秒といった検出間隔で割り込み処理を行うように設定すればよい。そして、割り込み処理の回数をカウントすることで、検出間隔を所定時間に設定することができ、所定時間内にＤＴＭＦ信号の検出の有無を判定することが可能となる。
【００３０】
割り込み処理の設定後、緊急放送開始信号となるＤＴＭＦ信号が送信されたかチェックし（Ｓ１０２）、ＤＴＭＦ信号の送信が検出された場合（Ｓ１０２−ＹＥＳ）にＤＴＭＦ信号の入力回数Ｎが４未満であるかチェックする（Ｓ１０３）。ＤＴＭＦ信号の送信が検出されない場合（Ｓ１０２−ＮＯ）には、繰り返し送信の有無について検出を行う。入力回数Ｎが４未満の場合（Ｓ１０３−ＹＥＳ）には、検出されたＤＴＭＦ信号を保存し（Ｓ１０４）、入力回数Ｎに１を加算するカウントアップを行う（Ｓ１０５）。そして、割り込み回数Ｗをリセットし（Ｓ１０６）、タイムアウトが許可されているかチェックする（Ｓ１０７）。タイムアウトが許可されていない場合（Ｓ１０７−ＮＯ）には、ステップＳ１０２に戻り、ＤＴＭＦ信号の送信があるかチェックする。
【００３１】
ステップＳ１０７でタイムアウトが許可されている場合（Ｓ１０７−ＹＥＳ）には、後述する緊急放送処理に進む。また、ステップＳ１０３で入力回数Ｎが４以上である場合（Ｓ１０３−ＮＯ）にも緊急放送処理に進む。後述する緊急放送処理が終了すると、入力回数Ｎをリセットして（Ｓ１０８）ステップＳ１０２に戻り、ＤＴＭＦ信号の送信があるかチェックする。なお、ＤＴＭＦ信号の入力回数Ｎについては、適宜設定することができ、５以上に設定することも可能である。
【００３２】
図５は、割り込み処理に関する処理フローである。まず、設定されたタイミングで割り込み処理が行われて（Ｓ２００）、図４に示す検出処理が行われるようになるが、割り込み処理が行われると割り込み回数Ｗに１を加算するカウントアップが行われる（Ｓ２０１）。そして、割り込み回数Ｗが所定の回数Ｔ以上であるかチェックし（Ｓ２０２）、所定の回数以上である場合（Ｓ２０２−ＹＥＳ）にタイムアウトを許可する設定を行い（Ｓ２０３）、終了する。ステップＳ２０２において割り込み回数Ｗが所定の回数Ｔより小さい場合には、タイムアウトを許可する設定を行うことなく終了する。
【００３３】
以上の処理を行うことで、割り込み処理を行う毎にＤＴＭＦ信号の検出が行われ、ＤＴＭＦ信号が検出された場合には、ＤＴＭＦ信号を保存していき、入力回数Ｎが４以上−すなわち４つのＤＴＭＦ信号が保存された場合に緊急放送処理に進むようになる。そして、ＤＴＭＦ信号を検出してから次のＤＴＭＦ信号を検出するまでの間に割り込み回数Ｗが所定の回数Ｔ以上となる場合には、割り込み処理の設定タイミングと所定の回数Ｔで設定された時間内にＤＴＭＦ信号が検出されなかったものとしてタイムアウトを許可するように設定する。タイムアウトの許可が設定されると、不完全な組み合せのＤＴＭＦ信号で緊急放送処理に進むことになり、設定データとは一致しないから緊急放送処理を行うことなく終了する。こうして、緊急放送信号として放送されたＤＴＭＦ信号の組み合せのみが確実に検出されるようになる。
【００３４】
図６及び図７は、緊急放送処理に関する処理フローである。まず、上述した検出処理により得られたＤＴＭＦ信号の判定処理を行う（Ｓ３００）。判定処理では、得られたＤＴＭＦ信号の組み合せが予め記憶された所定の組み合せと一致するか判定する。ＤＴＭＦ信号の組み合せがいずれかのラジオ放送の緊急放送開始信号に対応する組み合せであるかチェックする（Ｓ３０１）。この例では、緊急放送を伝達するラジオ放送としてコミュニティＦＭ放送及び県域ＦＭ放送が設定されている。緊急放送開始信号に対応する組み合せがない場合には（Ｓ３０１；ＮＯ）、そのまま終了する。
【００３５】
緊急放送開始信号に対応する組み合せである場合には（Ｓ３０１；ＹＥＳ）、コミュニティＦＭ放送に対応する緊急放送開始信号であるかチェックし（Ｓ３０２）、コミュニティＦＭ放送に対応する場合には（Ｓ３０２；ＹＥＳ）、ラジオ受信機の電源がオンされているかチェックする（Ｓ３０３）。緊急放送開始信号がコミュニティＦＭ放送に対応するものでない場合には（Ｓ３０２；ＮＯ）、図７のステップＳ３１８に進む。
【００３６】
電源がオンされている場合には（Ｓ３０３；ＹＥＳ）、チューナ２２ｃをコミュニティＦＭ放送の周波数に設定するように切換処理を行う（Ｓ３０４）。そして、緊急放送開始信号に引き続き得られたＤＴＭＦ信号の組み合せに基づいて表示パネル３の文字表示及びＬＥＤ表示器４の発光表示を行い（Ｓ３０５）、スピーカ２から所定の大きい音量で音声出力処理を行う（Ｓ３０６）。
【００３７】
次に、表示処理後に得られたＤＴＭＦ信号の判定処理を行い（Ｓ３０７）、ＤＴＭＦ信号の組み合せが県域ＦＭ放送の緊急放送開始信号に対応する組み合せであるかチェックする（Ｓ３０８）。県域ＦＭ放送の緊急放送開始信号に対応する組み合せである場合には（Ｓ３０８；ＹＥＳ）、図７のステップＳ３１９に進む。県域ＦＭ放送の緊急放送開始信号に対応する組み合せでない場合には（Ｓ３０８；ＮＯ）、緊急放送停止信号に対応する組み合せであるかチェックし（Ｓ３０９）、緊急放送停止信号に対応する組み合せである場合には（Ｓ３０９；ＹＥＳ）、表示パネル３の文字表示及びＬＥＤ表示器４の発光表示を非表示処理して緊急放送前のラジオ放送の周波数及び音量に戻す切換処理を行う（Ｓ３１０）。緊急放送停止信号に対応する組み合せでない場合には（Ｓ３０９；ＮＯ）、ステップＳ３０５に戻り、緊急放送を伝達するラジオ放送を継続して出力する。
【００３８】
ステップＳ３０３において電源がオフの場合には（Ｓ３０３；ＮＯ）、緊急放送開始信号に対応するコミュニティＦＭ放送の周波数に設定する選局処理を行う（Ｓ３１１）。そして、緊急放送開始信号に引き続き得られたＤＴＭＦ信号の組み合せに基づいて表示パネル３の文字表示及びＬＥＤ表示器４の発光表示を行い（Ｓ３１２）、スピーカ２から所定の大きい音量で音声出力処理を行う（Ｓ３１３）。
【００３９】
次に、表示処理後に得られたＤＴＭＦ信号の判定処理を行い（Ｓ３１４）、ＤＴＭＦ信号の組み合せが県域ＦＭ放送の緊急放送開始信号に対応する組み合せであるかチェックする（Ｓ３１５）。県域ＦＭ放送の緊急放送開始信号に対応する組み合せである場合には（Ｓ３１５；ＹＥＳ）、図７のステップＳ３１９に進む。県域ＦＭ放送の緊急放送開始信号に対応する組み合せでない場合には（Ｓ３１５；ＮＯ）、緊急放送停止信号に対応する組み合せであるかチェックし（Ｓ３１６）、緊急放送停止信号に対応する組み合せである場合には（Ｓ３１６；ＹＥＳ）、表示パネル３の文字表示及びＬＥＤ表示器４の発光表示を非表示処理して緊急放送前のスタンバイ状態に設定する停止処理を行う（Ｓ３１７）。緊急放送停止信号に対応する組み合せでない場合には（Ｓ３０９；ＮＯ）、ステップＳ３０５に戻り、緊急放送を伝達するラジオ放送を継続して出力する。
【００４０】
ステップＳ３０２において緊急放送開始信号がコミュニティＦＭ放送に対応するものでない場合には（Ｓ３０２；ＮＯ）、県域ＦＭ放送に対応する緊急放送開始信号であるかチェックし（Ｓ３１８）、県域ＦＭ放送に対応する場合には（Ｓ３１８；ＹＥＳ）、ラジオ受信機の電源がオンされているかチェックする（Ｓ３１９）。緊急放送開始信号が県域ＦＭ放送に対応するものでない場合には（Ｓ３１８；ＮＯ）、そのまま終了する。
【００４１】
電源がオンされている場合には（Ｓ３１９；ＹＥＳ）、チューナ２２ｃを県域ＦＭ放送の周波数に設定するように切換処理を行う（Ｓ３２０）。そして、緊急放送開始信号に引き続き得られたＤＴＭＦ信号の組み合せに基づいて表示パネル３の文字表示及びＬＥＤ表示器４の発光表示を行い（Ｓ３２１）、スピーカ２から所定の大きい音量で音声出力処理を行う（Ｓ３２２）。
【００４２】
次に、表示処理後に得られたＤＴＭＦ信号の判定処理を行い（Ｓ３２３）、ＤＴＭＦ信号の組み合せがコミュニティＦＭ放送の緊急放送開始信号に対応する組み合せであるかチェックする（Ｓ３２４）。コミュニティＦＭ放送の緊急放送開始信号に対応する組み合せである場合には（Ｓ３２４；ＹＥＳ）、図６のステップＳ３０３に進む。コミュニティＦＭ放送の緊急放送開始信号に対応する組み合せでない場合には（Ｓ３２４；ＮＯ）、緊急放送停止信号に対応する組み合せであるかチェックし（Ｓ３２５）、緊急放送停止信号に対応する組み合せである場合には（Ｓ３２５；ＹＥＳ）、表示パネル３の文字表示及びＬＥＤ表示器４の発光表示を非表示処理して緊急放送前のラジオ放送の周波数及び音量に戻す切換処理を行う（Ｓ３２６）。緊急放送停止信号に対応する組み合せでない場合には（Ｓ３２５；ＮＯ）、ステップＳ３２１に戻り、緊急放送を伝達するラジオ放送を継続して出力する。
【００４３】
ステップＳ３１９において電源がオフの場合には（Ｓ３１９；ＮＯ）、緊急放送開始信号に対応する県域ＦＭ放送の選局処理を行う（Ｓ３２７）。そして、緊急放送開始信号に引き続き得られたＤＴＭＦ信号の組み合せに基づいて表示パネル３の文字表示及びＬＥＤ表示器４の発光表示を行い（Ｓ３２８）、スピーカ２から所定の大きい音量で音声出力処理を行う（Ｓ３２９）。
【００４４】
次に、表示処理後に得られたＤＴＭＦ信号の判定処理を行い（Ｓ３３０）、ＤＴＭＦ信号の組み合せがコミュニティＦＭ放送の緊急放送開始信号に対応する組み合せであるかチェックする（Ｓ３３１）。コミュニティＦＭ放送の緊急放送開始信号に対応する組み合せである場合には（Ｓ３３１；ＹＥＳ）、図６のステップＳ３０３に進む。コミュニティＦＭ放送の緊急放送開始信号に対応する組み合せでない場合には（Ｓ３３１；ＮＯ）、緊急放送停止信号に対応する組み合せであるかチェックし（Ｓ３３２）、緊急放送停止信号に対応する組み合せである場合には（Ｓ３３２；ＹＥＳ）、表示パネル３の文字表示及びＬＥＤ表示器４の発光表示を非表示処理して緊急放送前のスタンバイ状態に設定する停止処理を行う（Ｓ３３３）。緊急放送停止信号に対応する組み合せでない場合には（Ｓ３３２；ＮＯ）、ステップＳ３２８に戻り、緊急放送を伝達するラジオ放送を継続して出力する。
【００４５】
以上のように処理することで、スタンバイ状態で電源がオンされた場合には、通常の任意受信状態（操作ツマミにより設定可能な状態）で起動するようになるが、任意受信状態で緊急放送開始信号を受信した場合には、対応するラジオ放送に自動的に切り換えて緊急放送を大音量で出力するとともに表示パネルの文字表示及びＬＥＤ表示器の発光表示を行って利用者の注意を喚起する。電源がオフとなったスタンバイ状態で緊急放送開始信号を受信した場合にも、自動的に起動して対応するラジオ放送を受信し、緊急放送を大音量で出力するとともに表示パネルの文字表示及びＬＥＤ表示器の発光表示を行うようになる。
【００４６】
そして、電源がオンの状態で自動的に起動された緊急放送は、緊急放送停止信号を受信することで、自動的に停止して緊急放送前に設定されていたラジオ放送に戻される。電源がオフの状態で自動的に起動された緊急放送は、緊急放送停止信号を受信することで、自動的に停止して緊急放送前のスタンバイ状態に戻される。
【００４７】
また、緊急放送中に別のラジオ放送の緊急放送開始信号を受信した場合には、別のラジオ放送の緊急放送に自動的に切り換えて常時最新の情報が伝達されるように設定されている。
【符号の説明】
【００４８】
１・・・緊急放送用ラジオ受信機、２・・・スピーカ、３・・・表示パネル、４・・・ＬＥＤ表示器、５・・・受信ボタン、６・・・電源ボタン、７・・・選局用ツマミ、８・・・音量調整用ツマミ、９・・・ＬＥＤライト、１０・・・発電器、２０・・・制御部、２１・・・記憶部、２２・・・受信部、２３・・・信号処理部、２４・・・増幅部、２５・・・操作部、２６・・・ＬＥＤ表示器、２７・・・パネル表示部
【図１】
2014236256.tif 000003
【図２】
2014236256.tif 000004
【図３】
2014236256.tif 000005
【図４】
2014236256.tif 000006
【図５】
2014236256.tif 000007
【図６】
2014236256.tif 000008
【図７】
2014236256.tif 000009